(57)【要約】  【課題】  固定と取り外しを容易に行うことが可能な中継コネクタを提供する。  【解決手段】  中継コネクタ１の下部に、先端に凹部２ｂ−１を形成した係止頭保持部２ｂを設ける。そして、外周にネジ溝を形成した係止頭６の一端を、係止頭保持部２ｂの凹部２ｂ−１に圧入する。  中継コネクタ１を固定する場合には、係止頭６のネジ溝に対応したネジ穴を用意し、このネジ穴に係止頭をねじ込むことで容易に固定でき、また不要になった場合にも逆回転させることで容易に取り外すことができる。【選択図】      図１
2005093093.tif 000002
【特許請求の範囲】
【請求項１】
複数のハーネスの間にセットされてハーネス間の信号の受け渡しを行う中継コネクタであって、
本体と、
前記本体内端部に形成され、ハーネスのコネクタが嵌合される第１嵌合部と、
前記本体内端部に形成され、ハーネスのコネクタが嵌合される第２嵌合部と、
前記本体内に形成され、前記前記第１嵌合部と前記第２嵌合部に嵌合された両ハーネスの配線を接続する接続手段と、
前記本体の外部に配置され、ネジ溝が形成された固定手段と、
を具備することを特徴とする中継コネクタ。
【請求項２】
前記第１嵌合部と第２嵌合部は、第１嵌合部と第２嵌合部と接続手段からなる１組が、複数前記本体内に形成されている
ことを特徴とする請求項１に記載の中継コネクタ。
【請求項３】
前記本体内部に形成され、ハーネスのコネクタが嵌合される第３嵌合部を備え、
前記接続手段は、前記第１嵌合部、前記第２嵌合部、及び前記第３嵌合部に嵌合された各ハーネスの対応する配線同士を接続する、
ことを特徴とする請求項１に記載の中継コネクタ。
【発明の詳細な説明】
【技術分野】
【０００１】
本発明は、中継コネクタに係り、例えば、自動車や各種電子機器において、複数のハーネスの間にセットされてハーネス間の信号の受け渡しを行う中継コネクタに関する。
【背景技術】
【０００２】
自動車や各種電子機器において、配線とコネクタから成る複数のハーネスを接続するための中継コネクタが使用される。
一般的に、例えば、自動車のドア内部に中継コネクタを固定して使用する場合、中継コネクタ上の掛止爪部を設けて、板金に固定するパネルマウント方式が使用されている。
このパネルマウント方式では、板金に中継コネクタが通れる程度の穴を空け、中継コネクタを途中までその穴に通した際に中継コネクタ上の掛止爪部が板金にロックされて固定されるようになっている。
そして、中継コネクタ等の部品を自動車のドアに固定する技術として、特許文献１が提案されている。この特許文献１では、自動車のドアに、オプション部品であるスピーカを取り付けた時、このスピーカをドアのインパネルに固定でき、かつスピーカを装着しない時は、このスピーカ用の配線のコネクタを保持しておくことのできるオプション部品取付装置について記載されている。
【特許文献１】実開平６−５１５６号公報
【発明の開示】
【発明が解決しようとする課題】
【０００３】
しかし上記パネルマウント方式の場合、中継コネクタを固定して使用できる場所が限定されていた。
また、固定した中継コネクタは、容易に取り外すことができる構造になっていないため、現状のものでは固定時に一度ロックすると容易に外すことができず、近年の環境問題に対応したリサイクルを充分に行うことができなかった。
【０００４】
そこで本発明は、固定と取り外しを容易に行うことが可能な中継コネクタを提供することを目的とする。
そこで本発明は、固定と取り外しを容易に行うことが可能な中継コネクタを提供することを目的とする。
【課題を解決するための手段】
【０００５】
請求項１に記載の発明は、複数のハーネスの間にセットすることにより、ハーネス間の信号の受け渡しを行う中継コネクタであって、本体と、前記本体内端部に形成され、ハーネスのコネクタが嵌合される第１嵌合部と、前記本体内端部に形成され、ハーネスのコネクタが嵌合される第２嵌合部と、前記本体内に形成され、前記前記第１嵌合部と前記第２嵌合部に嵌合された両ハーネスの配線を接続する接続手段と、前記本体の外部に配置され、ネジ溝が形成された固定手段と、を具備させて前記目的を達成する。
請求項２に記載の発明では、請求項１に記載の中継コネクタにおいて、前記第１嵌合部と第２嵌合部は、第１嵌合部と第２嵌合部と接続手段結からなる１組が、複数前記本体内に形成されていることを特徴とする。
請求項３に記載の発明では、請求項１に記載の中継コネクタにおいて、前記本体内部に形成され、ハーネスのコネクタが嵌合される第３嵌合部を備え、前記接続手段は、前記第１嵌合部、前記第２嵌合部、及び前記第３嵌合部に嵌合された各ハーネスの対応する配線同士を接続する、ことを特徴とする。
【発明の効果】
【０００６】
請求項１に記載した中継コネクタによれば、中継コネクタを固定したい場所に固定手段のネジ溝に対応したネジ穴を用意することで、容易に中継コネクタの固定と取り外しを行うことができる。
請求項２に記載した中継コネクタによれば、請求項１の効果に加えて更に、同じ場所に複数の中継コネクタを固定することができる。
請求項３に記載した中継コネクタによれば、請求項１の効果に加えて更に、中継コネクタを使用したディジー接続を行うことが可能になる。
【発明を実施するための最良の形態】
【０００７】
以下、本発明の中継コネクタにおける好適な実施の形態について、図１から図６を参照して詳細に説明する。
（１）第１実施形態の概要
この第１実施形態では、中継コネクタの下部に、先端に凹部を形成した係止頭保持部を設ける。そして、外周にネジ溝を形成した係止頭の一端を、係止頭保持部の凹部に圧入する。
中継コネクタを固定する場合には、係止頭のネジ溝に対応したネジ穴を用意し、このネジ穴に係止頭をねじ込むことで容易に固定でき、また不要になった場合にも逆回転させることで容易に取り外すことができる。
【０００８】
（２）第１実施形態の詳細
図１は本実施形態における中継コネクタの構成と、中継コネクタで接続される１組のハーネスを表したものである。
図１に示すように、中継コネクタ１は、本体２、第１嵌合部３、第２嵌合部４、内部配線５（接続手段）、及び係止頭６（固定手段）を備えている。
本体２は、コネクタ本体２ａと、コネクタ本体２ａの底面に形成された係止頭保持部２ｂとから構成されている。
コネクタ本体２ａの内部の両端に第１嵌合部３と第２嵌合部４が形成されている。
この第１嵌合部３と第２嵌合部４には、それぞれハーネス８とハーネス９が嵌合されるようになっている。両ハーネス８、９は、複数本の配線８ａ、９ａとコネクタ８ｂ、９ｂから構成されている。コネクタ８ｂ、９ｂの形状は、各ハーネスの種類によって異なった形状に形成されると共に、上下が区別可能な形状に形成されており、その外形形状に応じて第１嵌合部３と第２嵌合部４が形成されている。
【０００９】
図１において、第１嵌合部３と第２嵌合部４は、コネクタ本体２ａの対向する端部に配置されているが、他の位置に配置するようにしてもよい。
例えば、同一の面に配置することで、ハーネス８、９による配線８ａ、９ａを中継コネクタで折り返すようにすることができる。また、コネクタ本体２ａの互いに直交する面に第１嵌合部３と第２嵌合部４を配置することで、配線８ａ、９ａを９０度曲げて配置することができる。
以上の各嵌合部の配置箇所が任意であることについては後述する第２実施形態、第３実施形態においても同じである。
【００１０】
図２は、内部配線５の接続状態を表したものである。
内部配線５は、第１嵌合部３、第３嵌合部４に嵌合されるハーネス８、９の配線８ａ、９ａの数に応じた数の配線が配置されている。
図２に示した例では、配線数３で、各配線８ａの配列と配線９ａの配列とが変わらないストレート接続になっている。
なお、内部配線方法については、中継コネクタ１の種類に応じて、各配線８ａの配列と配線９ａの配列とが入れ替わるクロス接続とすることも可能である。
【００１１】
図１において、本体２のコネクタ本体２ａと係止頭保持部２ｂは、コネクタ本体２ａ内部に第１嵌合部、第２嵌合部、及び内部配線５が配置されるように、樹脂によりモールド形成されている。
係止頭保持部２ｂは、円柱形状をしており、その一端がコネクタ本体２と一体に形成されている。係止頭保持部２ｂの他端部には、凹部２ｂ−１が形成されている。
係止頭保持部２ｂの外形は円柱形状以外に角柱状等、他の形状とすることも可能である。
また、係止頭保持部２ｂの長さは、係止頭６を圧入により固定保持するために必要な凹部２ｂ−１の深さに対応した長さがあれば十分である。
なお、図１のように、係止頭６を固定するために必要な凹部２ｂ−１の深さよりも長くすることで、ハーネス８とハーネス９との接続位置を板金等の取り付け面よりも一定の高さ位置で接続することができる。
【００１２】
係止頭６は、外周面にネジ溝が形成されており、一端が係止頭保持部２ｂの凹部２ｂ−１に圧入されている。なお、係止頭６は、凹部２ｂ−１に圧入されない部分にのみネジ溝を形成するようにしてもよい。
【００１３】
次に、このように構成された中継コネクタ１による、取り付け及び取り外しの動作について説明する。
まず、図１に示されるように、中継コネクタ１を配置したい箇所、例えば、板金１０に係止頭６のネジ溝に対応したネジ穴６ａを形成する。このネジ穴６ａは、予め所定箇所に形成しておいてもよく、また、中継コネクタ１を取り付ける際に形成するようにしてもよい。
そして、中継コネクタ１の係止頭４をネジ穴６ａに挿入して本体２を回転することで、中継コネクタ１を板金１０に固定する。
その後、第１嵌合部３と第２嵌合部４にハーネス８、９のコネクタ８ｂ、９ｂを嵌合する。これにより、ハーネス８の両配線８ａとハーネス９の配線９ａとが、中継コネクタ１の内部配線５により導通する。
【００１４】
一方、中継コネクタ１を取り外す場合には、嵌合しているハーネス８、９を取り外した後、中継コネクタ１の本体を取り付け時と逆方向に回転することで、容易に取り外すことができる。
【００１５】
このように、本実施形態によれば、係止頭４に対応したネジ穴６ａを用意することで、どこにでも中継コネクタ１を容易に固定し、また、容易に取り外すことが可能になる。
【００１６】
次に第２の実施形態について説明する。
（３）第２実施形態の概要
この第２の実施形態では、第１実施形態の中継コネクタ１に対して、第１コネクタ３、第２コネクタ４、及び、内部配線５から成る接続ユニットが、コネクタ本体２ａ内に複数形成されている。
これにより、同じ箇所に複数ラインのハーネスを中継することができる。
【００１７】
（４）第２実施形態の詳細
図３は第２実施形態における、複数ラインのハーネスを一つの中継コネクタで接続可能な中継コネクタの構成と、中継コネクタで接続される２組のハーネスを表したものである。
なお、第１実施形態と同一の部分については、同一の符号を付して適宜その説明を省略する。
図３に示されるように、中継コネクタ１′は、本体２′、第１接続ユニット、第２接続ユニット、及び係止頭６を備えている。
第１接続ユニットは、第１嵌合部３、第２嵌合部４、及び内部配線５から構成され、第２接続ユニットは、第１嵌合部１２、第２嵌合部１３、及び内部配線１６から構成されている。
本体２′のコネクタ本体２ａ′と係止頭保持部２ｂは、コネクタ本体２ａ′内部に第１接続ユニットと第２接続ユニットが配置されるように、樹脂によりモールド形成されている。
【００１８】
図４は、第２実施形態における中継コネクタ１′の内部配線５と内部配線１３の接続状態を表したものである。
本実施形態における第１接続ユニットと第２接続ユニットとは、コネクタ本体２ａ′で一体形成されているが、両者は別々に存在している。
そのため、内部配線５が、第１嵌合部３と第２嵌合部４に嵌合されるハーネス８の配線８ａとハーネス９の配線９ａとを接続するように構成されている。
また、内部配線１３が、第１嵌合部１２と第２嵌合部４に嵌合されるハーネス８の配線８ａとハーネス９の配線９ａとを接続するように構成されている。
【００１９】
なお、４において内部配線５と内部配線６は共にストレート接続になっているが、共にクロス接続にしてもよい。また、一方をストレート接続とし、他方をクロス接続にしてもよい。
【００２０】
第２の実施形態によれば、第１の実施形態により得られる効果に加え、さらに、同じ箇所に複数ラインのハーネスを中継することができる。
【００２１】
次に第３実施形態について説明する。
（５）第３実施形態の概要
第３実施形態では、１つの接続ユニットに３つの嵌合部を配置し、内部配線により、各嵌合部に嵌合されるハーネスの対応する全ての配線同士を接続するようにしている。
この第３の実施形態により、ディジー接続機能を中継コネクタに追加することができる。
【００２２】
（６）第３実施形態の詳細
図５は第３実施形態における、ディジー接続機能を備えた中継コネクタの構成と、中継コネクタで接続される２組のハーネスを表したものである。
なお、第１実施形態と同一の部分については、同一の符号を付して適宜その説明を省略する。
図５に示されるように、中継コネクタ１″は、本体２″、接続ユニット、及び係止頭６を備えている。
本実施形態における接続ユニットは、第１嵌合部３、第２嵌合部４、第３嵌合部１７、及び内部配線５″から構成されている。
本体２″のコネクタ本体２ａ″と係止頭保持部２ｂは、コネクタ本体２ａ″内部に接続ユニットが配置されるように、樹脂によりモールド形成されている。
【００２３】
図６は、第３実施形態における中継コネクタ１″の内部配線５″の接続状態を表したものである。
図６に示されるように、第１嵌合部３、第２嵌合部４、及び第３嵌合部１７に嵌合される各ハーネス８、９、１８の配線８ａ、９ａ、１８ａにおいてそれぞれ対応する配線同士が全て接続されている。
このため、いずれか１の嵌合部に嵌合されたハーネスを入力とすると、他の嵌合部に嵌合されたハーネスは全て出力とすることができる。従って、本実施形態の中継コネクタ１″を使用することで、第１実施形態で得られる効果に加えて、ディジー接続を行うことができる。
【００２４】
なお、第３実施形態においても、第２実施形態と同様に、複数の接続ユニットを配置するようにしてもよい。
【００２５】
以上説明した各実施形態では、係止頭６を本体２、２′、２″に固定するために係止頭保持部２ｂを設ける構成にしたが、コネクタ本体２ａ、２ａ′、２ａ″に凹部を設け、この凹部に直接係止頭６を圧入するようにしてもよい。
【図面の簡単な説明】
【００２６】
【図１】本発明の第１実施形態における中継コネクタの構成と、その周辺を表した図である。
【図２】第１実施形態における内部配線の接続状態を表した説明図である。
【図３】本発明の第２実施形態における中継コネクタの構成と、その周辺を表した図である。
【図４】第２実施形態における内部配線の接続状態を表した説明図である。
【図５】本発明の第３実施形態における中継コネクタの構成と、その周辺を表した図である。
【図６】第３実施形態における内部配線の接続状態を表した説明図である。
【符号の説明】
【００２７】
１、１′、１″  中継コネクタ
２  本体
２ａ  コネクタ本体
２ｂ  係止頭保持部
２ｂ−１  凹部
３  第１嵌合部
４  第２嵌合部
５  内部配線
６  係止頭
８  ハーネス
８ａ  配線
８ｂ  コネクタ
９  ハーネス
９ａ  配線
９ｂ  コネクタ
【図１】
2005093093.tif 000003
【図２】
2005093093.tif 000004
【図３】
2005093093.tif 000005
【図４】
2005093093.tif 000006
【図５】
2005093093.tif 000007
【図６】
2005093093.tif 000008